(57)【要約】【課題】ロールシェード装置において、遮光シート（51）に引出バー（70）を安定して取り付けるとともに、その取り付けに必要な部品点数や作業工数を従来よりも少なくする。【解決手段】引出バー（70）に、全長にわたって遮光シート（51）の前縁を挟むクリップ部（71）と、クリップ部（71）の下方に形成された底壁部（75）とを設け、遮光シート（51）を、クリップ部（71）に先端部が保持された状態でクリップ部（71）の上面から前面を通って底壁部（75）に沿うように引出バー（70）に巻き付ける。【選択図】図４
2019043303.tif 000002
【特許請求の範囲】
【請求項１】
遮光シート（51）と、該遮光シート（51）を巻き取り可能且つ引き出し可能な巻き取りローラ（60）と、該遮光シート（51）の引き出し方向の前縁に装着された引出バー（70）とを備え、
車両のルーフ（1）に形成された窓部（3）を上記遮光シート（51）で開閉するように設けられるロールシェード装置であって、
上記引出バー（70）は、該引出バー（70）の全長にわたって上記遮光シート（51）の前縁を挟むように一端部を支点部（72）として開閉する上側クリップ片（73）及び下側クリップ片（74）を有するクリップ部（71）と、該クリップ部（71）の下方に形成された底壁部（75）とを備え、
上記遮光シート（51）は、上記クリップ部（71）に先端部が保持された状態で上記上側クリップ片（73）、支点部（72）、及び上記底壁部（75）に沿うように上記引出バー（70）に巻回されて上記巻き取りローラ（60）へのびていることを特徴とするロールシェード装置。
【請求項２】
請求項１において、
上記引出バー（70）は、上記上側クリップ片（73）を閉じた状態で該上側クリップ片（73）の先端との間に上記遮光シート（51）を挟んで保持する保持片（74a）を有することを特徴とするロールシェード装置。
【請求項３】
請求項２において、
上記上側クリップ片（73）と下側クリップ片（74）の対向面に、互いに噛み合って上記遮光シート（51）を挟む込む噛合部（77）が形成されていることを特徴とするロールシェード装置。
【請求項４】
請求項１から３の何れか１つにおいて、
上記クリップ部（71）は、上記遮光シート（51）を押し潰して挟むように寸法構成されていることを特徴とするロールシェード装置。
【請求項５】
請求項１から４の何れか１つにおいて、
上記底壁部（75）は、上記支点部（72）側の端部に該支点部（72）へ向かって湾曲する湾曲部（75a）を有し、
上記支点部（72）が上記引出バー（70）の引き出し方向へ上記湾曲部（75a）よりも突出していることを特徴とするロールシェード装置。
【発明の詳細な説明】
【技術分野】
【０００１】
本発明は、車両のルーフに形成された窓部を遮光するロールシェード装置に関し、特に遮光シートに引出バーを取り付ける部分の構造に関するものである。
【背景技術】
【０００２】
従来、ルーフに窓部が形成された車両では、窓部を遮光するためのロールシェード装置が設けられている（例えば、特許文献１参照）。ロールシェード装置は、遮光シートと、遮光シートを巻き取る巻き取りローラと、遮光シートの前端に装着された引出バーとを有している。巻き取りローラは上記窓部の下方に配置され、遮光シートを巻き取り可能に構成されている。遮光シートは、巻き取りローラに巻き取られた状態になると上記窓部を開放する一方、前端の引出バーを窓部の前縁の下方まで引き出すと窓部を遮蔽するように構成されている。
【０００３】
特許文献１のロールシェード装置の引出バー（100）は、図８に示すように構成されている。この引出バー（100）は、遮蔽シート（110）の前縁を袋縫いし（縫い目を符号（111）で示す）、その中に心棒（102）が挿入されている。引出バー（100）は、断面がＣ形のシート保持部（103）を有し、心棒（102）を通した遮光シート（110）の袋部分（112）がシート保持部（102）に装着されている。また、図示していないが、長尺の部材である引出バー（100）のシート保持部（103）の左右の端部をかしめることにより、遮光シート（110）に対する引出バー（100）の幅方向の位置が固定されている。
【先行技術文献】
【特許文献】
【０００４】
【特許文献１】特開２００２−０５４３６９号公報
【発明の概要】
【発明が解決しようとする課題】
【０００５】
上記従来の構成では遮光シート（110）を縫製する作業が必要であり、しかも遮光シート（110）に引出バー（100）を装着するために心棒（102）も必要であった。また、遮光シート（110）に対する引出バー（100）の幅方向の位置を固定するために、引出バー（100）の左右の端部をかしめることも必要であり、遮光シート（110）に引出バー（100）をしっかりと取り付けるのに必要な部品や作業工数が多い問題があった。そこで、遮光シート（110）に引出バー（100）を取り付けるのに必要な部品や作業工数を少なくすることが望まれるが、その際に引出バー（100）の位置が不安定になることは避けなければならない。
【０００６】
本発明は、このような問題点に鑑みてなされたものであり、その目的は、ロールシェード装置において、遮光シートに引出バーを安定して取り付けられるようにするとともに、その取り付けに必要な部品点数や作業工数を従来よりも少なくすることである。
【課題を解決するための手段】
【０００７】
第１の発明は、遮光シート（51）と、該遮光シート（51）を巻き取り可能且つ引き出し可能な巻き取りローラ（60）と、該遮光シート（51）の引き出し方向の前縁に装着された引出バー（70）とを備え、車両のルーフ（1）に形成された窓部（3）を上記遮光シート（51）で開閉するように設けられるロールシェード装置を前提とする。
【０００８】
そして、このロールシェード装置は、上記引出バー（70）が、該引出バー（70）の全長にわたって上記遮光シート（51）の前縁を挟むように一端部を支点部（72）として開閉する上側クリップ片（73）及び下側クリップ片（74）を有するクリップ部（71）と、該クリップ部（71）の下方に形成された底壁部（75）とを備え、上記遮光シート（51）が、上記クリップ部（71）に先端部が保持された状態で上記上側クリップ片（73）、支点部（72）、及び上記底壁部（75）に沿うように上記引出バー（70）に巻回されて上記巻き取りローラ（60）へのびていることを特徴とする。
【０００９】
この第１の発明では、クリップ部（71）に先端部が保持された遮光シート（51）が、上側クリップ片（73）、支点部（72）、及び上記底壁部（75）に沿うように上記引出バー（70）に巻回されている（図４参照）ので、遮光シート（51）に張力がかかると上側クリップ片（73）が遮光シート（51）で下側クリップ片（74）に押さえつけられる作用が生じる。したがって、遮光シート（51）が上側クリップ片（73）と下側クリップ片（74）にしっかりと挟み込まれる。
【００１０】
第２の発明は、第１の発明において、上記引出バー（70）が、上記上側クリップ片（73）を閉じた状態で該上側クリップ片（73）の先端部（73a）との間に上記遮光シート（51）を挟んで保持する保持片（74a）を有することを特徴とする。
【００１１】
この第２の発明では、遮光シート（51）が、上側クリップ片（73）と下側クリップ片（74）で挟んで保持されるのに加えて、上側クリップ片（73）の先端部（73a）と保持片（74a）との間でも挟んで保持される。
【００１２】
第３の発明は、第２の発明において、上記上側クリップ片（73）と下側クリップ片（74）の対向面に、互いに噛み合って上記遮光シート（51）を挟む込む噛合部（77）が形成されていることを特徴とする。
【００１３】
この第３の発明では、上側クリップ片（73）と下側クリップ片（74）の対向面に形成された噛合部により遮光シート（51）が挟み込まれる。したがって、遮光シート（51）がクリップ部（71）にしっかりと保持される。
【００１４】
第４の発明は、第１から第３の発明の何れか１つにおいて、上記クリップ部（71）が、上記遮光シート（51）を押し潰して挟むように寸法構成されていることを特徴とする。
【００１５】
この第４の発明では、遮光シート（51）が、クリップ部（71）に押し潰された状態で保持され、その状態で、上側クリップ片（73）が遮光シート（51）で下側クリップ片（74）に押さえつけられる（図４参照）。したがって、遮光シート（51）が上側クリップ片（73）と下側クリップ片（74）の間に、よりしっかりと挟み込まれる。
【００１６】
第５の発明は、第１から第４の発明の何れか１つにおいて、上記底壁部（75）が、上記支点部（72）側の端部に該支点部（72）へ向かって湾曲する湾曲部（75a）を有し、上記支点部（72）が上記引出バー（70）の引き出し方向へ上記湾曲部（75a）よりも突出していることを特徴とする。
【００１７】
この第５の発明では、引出バー（70）の底壁部（75）に湾曲部（75a）が形成されており、ロールシェード装置が車両の乗員の上方に設けられるので、乗員に面する方向に引出バー（70）の湾曲部（75a）が位置する状態で、遮光シート（51）が開閉されることになる。
【発明の効果】
【００１８】
本発明によれば、クリップ部（71）に先端部が保持された遮光シート（51）が、上側クリップ片（73）、支点部（72）、及び上記底壁部（75）に沿うように上記引出バー（70）に巻回されている（図４参照）。そのため、遮光シート（51）に張力がかかると上側クリップ片（73）が遮光シート（51）で下側クリップ片（74）に押さえつけられる作用が生じるので、遮光シート（51）とクリップ片との間に強い摩擦力が生じた状態で、遮光シート（51）が上側クリップ片（73）と下側クリップ片（74）にしっかりと挟み込まれる。したがって、遮光シート（51）に引出バー（70）を安定して取り付けることが可能になる。
【００１９】
また、本発明によれば、遮光シート（51）に引出バー（70）を取り付けるために従来の心棒のような部材が不要であり、遮光シート（51）を縫製したり引出バー（70）をかしめたりする作業も不要であるから、取り付けに必要な部品点数や作業工数を従来よりも少なくすることが可能になる。さらに、遮光シート（51）に引出バー（70）がしっかりと保持されるので、遮光シート（51）と引出バー（70）の位置がずれて遮光シート（51）に皺が生じるような問題が生じるのも抑制できる。
【００２０】
上記第２の発明によれば、遮光シート（51）が、上側クリップ片（73）と下側クリップ片（74）で挟んで保持されるのに加えて、上側クリップ片（73）の先端部（73a）と保持片（74a）との間でも挟んで保持されるので、遮光シート（51）がクリップ部（71）に保持される部分の接触面積が大きくなる。したがって、遮光シート（51）を引っ張っても引出バー（70）から外れにくくなり、逆に言うと引出バー（70）が遮光シート（51）に安定して取り付けられる。
【００２１】
上記第３の発明によれば、上側クリップ片（73）と下側クリップ片（74）の対向面に、互いに噛み合って上記遮光シート（51）を挟む込む噛合部（77）を形成したことにより、遮光シート（51）がクリップ部（71）にしっかりと保持される。つまり、引出バー（70）を遮光シート（51）により安定して取り付けることが可能になる。
【００２２】
上記第４の発明によれば、クリップ部（71）が、上記遮光シート（51）を押し潰して挟むように寸法構成されており、遮光シート（51）が上側クリップ片（73）と下側クリップ片（74）の間に、よりしっかりと挟み込まれるので、遮光シート（51）に対する引出バー（70）の取り付けの安定性を高められる。
【００２３】
上記第５の発明によれば、引出バー（70）の底壁部（75）に湾曲部（75a）が形成され、ロールシェード装置が車両の乗員の上方に設けられるので、乗員に面する方向に引出バー（70）の湾曲部（75a）が位置する状態で遮光シート（51）が開閉される。したがって、引出バー（70）が進退するときに乗員に接触する可能性のあるのが上記湾曲部（75a）であり、乗員に接触しても角部が接触する場合のような問題が生じるのを抑制できる。また、この発明では、底壁部（75）の湾曲部（75a）とクリップ部（71）とが上下に離れているため、その間に空間が形成されるが、この空間は遮光シート（51）で塞がれるため、意匠上の問題も生じない。
【図面の簡単な説明】
【００２４】
【図１】図１は、本発明の実施形態に係るサンルーフ装置を全閉状態で示す斜視図である。
【図２】図２は、実施形態のサンルーフ装置の分解斜視図である。
【図３】図３は、実施形態のフロント側ロールシェード装置の前端部と後端部の構成を示す断面図である。
【図４】図４は、実施形態の引出バーの構造を示す拡大断面図である。
【図５】図５は、実施形態の引出バーに遮光シートを挟んでプレスする工程を示す図である。
【図６】図６は、実施形態の引出バーの要部拡大断面図である。
【図７】図７は、実施形態の引出バーの底面図である。
【図８】図８は、従来の引出バーの拡大断面図である。
【発明を実施するための形態】
【００２５】
以下、本発明の実施形態を図面に基づいて詳細に説明する。本実施形態は、本発明のロールシェード装置（50）を、車両のルーフ（1）に装着されるサンルーフ装置（10）に組み込んだ例である。なお、以下の好ましい実施形態の説明は、本質的に例示に過ぎず、本発明、その適用物或いはその用途を制限することを意図するものではない。
【００２６】
図１は、全閉状態のサンルーフ装置（10）の斜視図、図２はサンルーフ装置（10）の分解斜視図である。なお、本明細書では、説明の便宜上、車両前後方向における前側を「前（フロント）」、後側を「後（リア）」、車幅方向における左側を「左（Ｌ）」、右側を「右（Ｒ）」と称する。
【００２７】
＜サンルーフ装置の概略構成＞
サンルーフ装置（10）は、車両のルーフ（1）に形成された開口部（2）に設置される。図２に示すように、サンルーフ装置（10）は、複数のアルミニウム部品からなるフレームアセンブリ（20）と、このフレームアセンブリ（20）に上から装着される強化プラスチック製のハウジング（30）とを有している。フレームアセンブリ（20）は枠状の部材であり、ハウジング（30）は、ハウジング基材（31）のフロント側とリア側に開口（32，33）が形成された部材である。ハウジング（30）の下にはフレームアセンブリ（20）、その下には、左右方向に延在する補強部材（40）が取り付けられている。
【００２８】
ハウジング基材（31）の上面には、３枚のガラスパネル（フロント側固定ガラスパネル（34）、可動ガラスパネル（35）、リア側固定ガラスパネル（36）と、各ガラスパネルの左右に位置するサイドフィン（37，38）とが装着されている。
【００２９】
フロント側固定ガラスパネル（34）は、シール材（34a）を介してハウジング基材（31）の前端部に固定される。可動ガラスパネル（35）は、フレームアセンブリ（20）に前後方向へ進退可能に装着される。リア側固定ガラスパネル（36）は、シール材（36a）を介してハウジング（30）のリア側の開口（33）を覆うように配置されている。ハウジング基材（31）と左右のサイドフィン（37，38）の間には、可動ガラスパネルが進退するときのガイドとして、アウターレール（39）が設けられている。
【００３０】
フロント側固定ガラスパネル（34）は、いわゆるスモークガラスで形成されたパネルである。また、可動ガラスパネル（35）とリア側固定ガラスパネル（36）も、同様にスモークガラスで形成された透光性を有するパネルであり、車両のルーフの窓部（3）を構成する。
【００３１】
このサンルーフ装置（10）の下方には、上記窓部（3）を遮蔽可能な遮光シート（51）を有するロールシェード装置（50）が設けられている。このロールシェード装置（50）は、２枚の遮光シート（51a，51b）を別々に開閉できるように、フロント側ロールシェード装置（50A）とリア側ロールシェード装置（50B）とから構成されている。
【００３２】
上記フレームアセンブリ（20）には、可動ガラスパネル（35）に駆動機構を介して連結される一対のプッシュプルケーブル（45）と、フロント側及びリア側のロールシェード装置（50A，50B）を別々に駆動する二対のプッシュプルケーブル（46，47）とが装填されている。フレームアセンブリ（20）には、各プッシュプルケーブル（45，46，47）を装填するためのケーブル溝（21）が形成されている。
【００３３】
上記ハウジング（30）の下面には、フロント側に１つ、リア側に２つのモータ（M1，M2，M3）が取り付けられている。フロント側のモータ（M1）は、フロント側ロールシェード装置（50A）を駆動するプッシュプルケーブル（45）と噛合している。リア側のモータ（M2，M3）は、それぞれ、可動ガラスパネル（35）及びリア側ロールシェード装置（50B）にプッシュプルケーブル（46，47）を介して連結されている。
【００３４】
ハウジング基材（31）のフロント側の開口（32）の縁部にはウェザーストリップ（32a）が装着される。上記可動ガラスパネル（35）は、閉状態になるとウェザーストリップ（32a）と密着してハウジング基材（31）の前側の開口（32）を遮蔽する。ハウジング基材（31）の前側の開口（32）の前端側にはデフレクター（15）が設けられている。デフレクター（15）は、可動ガラスパネル（35）が開口を閉じる位置になると可動ガラスパネル（35）とハウジング基材（31）の間に格納され、可動ガラスパネル（35）が後退して開口（32）が開くと起ち上がって風防となる。
【００３５】
＜ロールシェード装置＞
ロールシェード装置（50）は、車両のルーフ（1）に形成された窓部（3）を遮光シート（51a，51b）で開閉する位置に設けられ、上述したように、フロント側ロールシェード装置（50A）とリア側ロールシェード装置（50B）とから構成されている。図３は、フロント側ロールシェード装置（50A）の前端部と後端部の構成を示す断面図である。基本的な構造は、フロント側ロールシェード装置（50A）もリア側ロールシェード装置（50B）も共通している。そこで、以下、フロント側ロールシェード装置（50A）（以下、単にロールシェード装置（50）と称する）について説明する。
【００３６】
ロールシェード装置（50）は、遮光シート（51）と、この遮光シート（51）を巻き取り可能且つ引き出し可能な巻き取りローラ（60）と、遮光シート（51）の引き出し方向の前縁に装着された引出バー（70）とを備えている。図３は、ロールシェード装置（50）を、巻き取りローラ（60）から遮光シート（51）を前方へ引き出して引出バー（70）を可動範囲の前端に位置する遮光状態で表している。
【００３７】
ロールシェード装置（50）は、図３に示す遮光状態になったときに遮光シート（51）がヘッドライニング（5）の上端に接するように構成されている。遮光シート（51）が遮光状態でヘッドライニング（5）の上端と接することにより、車室外から車室内への外光の漏れ込みが抑制される。
【００３８】
遮光シート（51）は、その後端側において、巻き取りローラ（60）の近傍でハウジング（30）の押さえ部（65）により上方から抑えられている。巻き取りローラ（60）は、ヘッドライニング（67）により下方から覆われている。
【００３９】
上記引出バー（70）は、図２に示すように、遮光シート（51）のほぼ全幅にわたって延在する長尺の部材である。また、引出バー（70）は、拡大断面図である図４に示すように、該引出バー（70）の全長にわたって上記遮光シート（51）の前縁を挟むクリップ部（シート保持部）（71）と、クリップ部（71）の下方に形成された底壁部（75）と、クリップ部（71）と底壁部（75）との間に位置してこれらを連接する脚部（76）とを備えている。
【００４０】
クリップ部（71）は、一端部を支点部（72）として開閉する上側クリップ片（73）及び下側クリップ片（74）を有している。また、引出バー（70）は、上記上側クリップ片（73）を閉じた状態で、該上側クリップ片（73）の先端部（73a）との間に上記遮光シート（51）を挟んで保持する保持片（74a）を有する。保持片（74a）は、下側クリップ片（74）の一部として形成されている。
【００４１】
引出バー（70）の要部拡大断面図である図６に示すように、上記上側クリップ片（73）と下側クリップ片（74）の対向面には、互いに噛み合って上記遮光シートを挟む込む噛合部（77）が形成されている。噛合部（77）は、上側クリップ片（73）に形成された上側噛合部（77a）と下側クリップ片（74）に形成された下側噛合部（77b）とから構成されている。また、引出バー（70）は、支点部（72）の厚さ（T1）が上側クリップ片（73）及び下側クリップ片（74）の厚さ（T2，T3）よりも薄い断面形状になっており、遮光シート（51）を上側クリップ片（73）と下側クリップ片（74）で挟んで固定する後述のプレス時に上側クリップ片（73）や下側クリップ片（74）が変形せず、しかもプレス後の支点部（72）のスプリングバックが小さくなるように構成されている。また、上側クリップ片（73）の上面はアーチ状に湾曲しており、上側クリップ片（73）に十分な厚みが与えられている。
【００４２】
上記の両噛合部（77a，77b）の間の隙間寸法（d1）は、遮光シート（51）の厚さ寸法（t）よりも小さく、クリップ部（71）が遮光シート（51）を押し潰して挟むように寸法構成されている。また、上側クリップ片（73）の先端部（73a）と保持片（74a）の間の隙間寸法（d2）も、遮光シート（51）の厚さ寸法（t）よりも小さく、この部分でもクリップ部（71）が遮光シート（51）を押し潰して挟むように寸法構成されている。
【００４３】
上記底壁部（75）は、図４において上記クリップ部（71）の下方で、引出バー（70）の全長にわたって形成されている。底壁部（75）は、上記クリップ部（71）の支点部（72）側の端部（言い換えると、脚部（76）に対して先端側（フロント側）となる部分）に、該支点部（72）に向かって上方へ湾曲する湾曲部（75a）を有している。また、上記底壁部（75）と遮光シート（51）との間には、引出バー（70）よりも弾力性のある素材（例えば、エチレン、プロピレン等を含むＥＰＤＭ系ゴムスポンジ）で形成された弾性パッド（55）が設けられている。この弾性パッド（55）は、引出バー（70）の底面図である図７に示すように、該引出バー（70）の少なくとも両端部に設けられている。また、上記底壁部（75）は、脚部（76）の後方の部分に、上記プッシュプルケーブル（46）に連結されるコネクタ（図示せず）を保持する保持空間（78）を区画する保持片（75b）を有している。
【００４４】
ここで、上記支点部（72）は、上記引出バー（70）の引き出し方向（図４の左方向）へ、上記湾曲部（75a）よりも突出している。つまり、図５において、支点部（72）のフロント側の先端である点Ｐ１が、湾曲部（75a）のフロント側の先端である点Ｐ２よりも、車両のフロント側へ突出している。
【００４５】
遮光シート（51）に引出バー（70）を装着するのは、図５に示すように、遮光シート（51）の先端部を引出バー（70）のクリップ部（71）で挟み付けることにより行う。このとき、下側クリップ片（74）をプレス装置（80）の支え部（81）で支えながら、上側クリップ片（73）をプレス装置（80）の押さえ部（82）でプレスする。支え部（81）は、上端部（81a）が脚部（76）にほぼ接触する状態で、基部（81b）が湾曲部（75a）の先端近傍に位置するように形成されており、プレス時にクリップ部（71）に作用する力Ｆを基部（81b）でしっかりと受け止めるようになっている。このため、プレス力が支点部（72）にしっかりと伝わってクリップ部（71）が図５の仮想線の状態から実線の状態へ変形し、かつ上述のようにスプリングバックが抑えられるようになっている。
【００４６】
その後は、遮光シート（51）を、上側クリップ片（73）の上面、支点部（72）、及び底壁部（75）に沿うように引出バー（70）に巻き回して図４の状態とし、この状態でロールシェード装置（50）がサンルーフ装置（10）に組み付けられる。
【００４７】
−ロールシェード装置の動作−
この実施形態のロールシェード装置（50）では、運転席等に設けられているフロント遮光シート用スイッチ（図示せず）を操作してモータ（M1）を駆動すると、フロント側ロールシェード装置（50A）の遮光シート（51a）が開閉する。また、リア遮光シート用スイッチ（図示せず）を操作してモータ（M3）を駆動すると、リア側ロールシェード装置（50B）の遮光シート（51b）が開閉する。弾性パッド（55）が遮光シート（51a，51b）の裏側に設けられているので、遮光シート（51a，51b）が開閉する際に、ヘッドライニング（5）と遮光シート（51a，51b）が擦れて生じる力が弾性パッド（55）に吸収される。
【００４８】
−実施形態の効果−
本実施形態によれば、図４に示すように、クリップ部（71）に先端部が保持された遮光シート（51）が、上側クリップ片（73）、支点部（72）、及び上記底壁部（75）に沿うように上記引出バー（70）に巻き付けられているので、上側クリップ片（73）が遮光シート（51）で下側クリップ片（74）に押さえつけられる作用が生じる。しかも、クリップ部（71）が、上記遮光シート（51）を押し潰して挟むように寸法構成されている。したがって、遮光シート（51）とクリップ片との間に強い摩擦力が生じた状態で、遮光シート（51）が上側クリップ片（73）と下側クリップ片（74）にしっかりと挟み込まれる。そのため、遮光シート（51）に引出バー（70）を安定して取り付けることが可能になる。
【００４９】
また、遮光シート（51）は、上側クリップ片（73）と下側クリップ片（74）で挟んで保持されるのに加えて、上側クリップ片（73）の先端部（73a）と保持片（74a）との間でも挟んで保持されるので、遮光シート（51）がクリップ部（71）に保持される部分の接触面積が大きくなる。したがって、遮光シート（51）を引っ張っても引出バー（70）から外れにくくなり、引出バー（70）が遮光シート（51）に安定して取り付けられる。
【００５０】
さらに、本実施形態によれば、上側クリップ片（73）と下側クリップ片（74）の対向面に、互いに噛み合って上記遮光シート（51）を挟む込む噛合部（77）を形成したことにより、遮光シート（51）がクリップ部（71）にしっかりと保持される。したがって、この噛合部（77）を設けたことも、引出バー（70）を遮光シート（51）により安定して取り付けるのに寄与する。
【００５１】
また、本実施形態によれば、遮光シート（51）に引出バー（70）を取り付けるために、従来用いていた心棒のような部材が不要であり、遮光シート（51）を縫製したり引出バー（70）をかしめたりする作業も不要である。したがって、取り付けに必要な部品点数や作業工数を従来よりも少なくすることが可能になる。
【００５２】
さらに、本実施形態によれば、遮光シート（51）に引出バー（70）がしっかりと保持されるので、遮光シート（51）と引出バー（70）の位置がずれて遮光シート（51）に皺が生じるような問題が生じるのも抑制できる。
【００５３】
また、本実施形態によれば、引出バー（70）の底壁部（75）に湾曲部（75a）が形成され、ロールシェード装置が車両の乗員の上方に設けられるので、乗員に面する方向に引出バー（70）の湾曲部（75a）が位置する状態で遮光シート（51）が開閉される。したがって、引出バー（70）が乗員に接触する可能性のあるのが上記湾曲部（75a）であり、乗員に接触しても角部が接触する場合とは違って、問題が生じるのを抑制できる。
【００５４】
また、底壁部（75）の湾曲部（75a）とクリップ部（71）との間の空間は、遮光シート（51）で塞がれるため、クリップ部（71）と湾曲部（75a）とが上下に離れていることによる意匠上の問題も生じない。
【００５５】
−実施形態の変形例−
上記実施形態では、弾性パッド（55）を引出バー（70）の両端部に設けているが、弾性パッド（55）は、図７に仮想線で示しているように、引出バー（70）の全長にわたって設けるとよい。そうすれば、ヘッドライニング（5）との接触により遮光シート（51）が損耗するのを、より広い部分で生じにくくすることができる。
【００５６】
《その他の実施形態》
上記実施形態については、以下のような構成としてもよい。
【００５７】
例えば、上記実施形態では、ロールシェード装置（50）を車両のサンルーフ装置（10）に組み込んだ例を説明したが、本発明のロールシェード装置は必ずしもサンルーフ装置（10）に組み込まなくてもよく、ルーフに窓部（3）が形成された車両であれば適用可能である。
【００５８】
また、上記噛合部（77a，77b）は、例えば、互いに噛み合う断面歯形の凹凸の組み合わせにしてもよいし、ディンプル状の凹凸の組み合わせにしてもよい。要するに、噛合部（77a，77b）は、遮光シート（51）を挟み込んで保持する部分の表面積を大きくする構成であれば、その形状は適宜変更してもよい。なお、噛合部（77a，77b）を設けなくても遮光シート（51）をしっかりと保持できる場合は、噛合部（77a，77b）は必ずしも設けなくてもよい。
【００５９】
また、本発明は、クリップ部（71）で保持した遮光シート（51）を引出バー（70）の上側クリップ片（73）、支点部（72）、及び上記底壁部（75）に巻き回してクリップ部（71）をしっかりと締める構成になっている限り、その他の構成は適宜変更してもよい。
【産業上の利用可能性】
【００６０】
以上説明したように、本発明は、車両のルーフに形成された窓部を遮光するロールシェード装置において、遮光シートに引出バーを取り付ける部分の構造について有用である。
【符号の説明】
【００６１】
1     ルーフ
3     窓部
50    ロールシェード装置
51    遮光シート
60    巻き取りローラ
70    引出バー
71    クリップ部
72    支点部
73    上側クリップ片
74    下側クリップ片
74a   保持片
75    底壁部
75a   湾曲部
77    噛合部
【図１】
2019043303.tif 000003
【図２】
2019043303.tif 000004
【図３】
2019043303.tif 000005
【図４】
2019043303.tif 000006
【図５】
2019043303.tif 000007
【図６】
2019043303.tif 000008
【図７】
2019043303.tif 000009
【図８】
2019043303.tif 000010